(57)【要約】【課題】穀稈を分離する引起装置の後部で、分草体の分草パイプへ装着した分草ガイドを容易に、又、簡単に着脱できるようにすると共に、確実に装着できるようにして、廻ることを防止しようとするものである。【解決手段】穀稈を分離する刈取機の分草体４の分草板４ａ後側の穀稈を引起しする引起装置の後側で、分草体４の分草パイプ４ｂには、ガイド板７ａへ締付用ボス７ｂを装着した固定具７を装着して設け、締付用ボス７ｂの外周部へ分草ガイド６を挿入し、押え具９を介してボルト１０等を締付用ボス７ｂへ螺挿入して、装着して設けた構成である。分草ガイド６の外径より、ガイド板７ａへ装着した締付用ボス７ｂがガイド板７ａから上方へ突出する突出部を低くした。押え具９の側板の後部には、切欠部を設けた。ガイド板７ａの後部の巾を狭巾に形成した。該ガイド板７ａを直接分草パイプ４の外周上側部へ装着した構成である。【選択図】図１
2006061119.tif 000002
【特許請求の範囲】
【請求項１】
穀稈を刈取り移送する刈取機３の一部である前端部に穀稈を分離する分草体４と、穀稈を引起しする引起装置５等とを設けたコンバインにおいて、前記分草体４の分草パイプ４ｂの外周上側で分草体４の分草板４ａ後側の引起装置５の後側には、ガイド板７ａへ複数の締付用ボス７ｂを装着した固定具７を設けると共に、該固定具７の各締付用ボス７ｂの外周部へ穀稈を分離する分草ガイド６を挿入し、押え具９を介して各ボルト１０等で装着して設けたことを特徴とするコンバインの穀稈ガイド装置。
【請求項２】
前記分草ガイド６の外径（D）より、固定具７のガイド板７ａへ装着した締付用ボス７ｂがガイド板７ａから上方へ突出す突出部（Ｈ）を低くして設けたことを特徴とする請求項１に記載のコンバインの穀稈ガイド装置。
【請求項３】
コ字形状の前記押え具９の側板９ａの後部には、後方上部から前方下部へ傾斜する切欠部９ｂを設けたことを特徴とする請求項１、又は請求項２に記載のコンバインの穀稈ガイド装置。
【請求項４】
前記ガイド板７ａの後部の巾を狭巾（Ｌ）に形成し、該狭巾（Ｌ）部へ押え具９を挿入してボルト１０等により、分草ガイド６を締付けて設けたことを特徴とする請求項１、又は請求項２、又は請求項３に記載のコンバインの穀稈ガイド装置。
【請求項５】
前記締付用ボス７ｂを装着したガイド板７ａを、分草体４の分草パイプ４ｂの外周上側部へ直接装着して設けたことを特徴とする請求項１、又は請求項２、又は請求項３、又は請求項４に記載のコンバインの穀稈ガイド装置。
【発明の詳細な説明】
【技術分野】
【０００１】
刈取りする穀稈を分離する刈取機の分草体の分草板後側の穀稈を引起しする引起装置の後側で、分草体の分草パイプには、ガイド板へ締付用ボスを装着した固定具を装着して設け、この固定具の締付用ボスの外周部へ分草ガイドを挿入し、押え具を介してボルト等を締付用ボスへ螺挿入して、装着して設けた技術であり、コンバインの穀稈ガイド装置として利用できる。
【背景技術】
【０００２】
コンバインで穀稈の刈取り作業は、このコンバインの前方部に設けた刈取機で穀稈は刈取りされ、この刈取り穀稈は、この刈取機で後方上部へ移送されて脱穀される。
前記刈取機で穀稈の分離は、この刈取機の前端部に設けた分草板で分離すると共に、実開平６−１１４２３号公報で示す如くこの分草板と、穀稈を引起しする引起装置との間で、刈取フレームの前端部へ後方上り斜設する分草ガイドの前端部を回動自在に前端部を支点として、前方側へ回動自在に設けると共に、この分草ガイドを傾斜状態に支持するストッパーを設け、スプリングにより、附勢してこのストッパーへ当接させて設けた、分草ガイドにより、更に穀稈は分離された後に刈取され、この刈取り穀稈は後方上部へ移送されて脱穀される。
【特許文献１】実開平６−１１４２３号公報
【発明の開示】
【発明が解決しようとする課題】
【０００３】
刈取りする穀稈を分離する分草ガイドは、前端部を回動中心として、前部へ回動自在で後方上部へ傾斜にして設けると共に、ストッパーを設け、スプリングでストッパーへ当接させて設けていることにより、引起装置等を取り外しのときは、分草ガイドを前方へ回動移動させることにより、引起装置等は容易に取り外しができるが、回動機構、及びスプリング等の使用により、コストアップになることがあったが、この発明により、この問題点を解決しようとするものである。
【課題を解決するための手段】
【０００４】
このために、この発明は、請求項１に記載の発明においては、穀稈を刈取り移送する刈取機３の一部である前端部に穀稈を分離する分草体４と、穀稈を引起しする引起装置５等とを設けたコンバインにおいて、前記分草体４の分草パイプ４ｂの外周上側で分草体４の分草板４ａ後側の引起装置５の後側には、ガイド板７ａへ複数の締付用ボス７ｂを装着した固定具７を設けると共に、該固定具７の各締付用ボス７ｂの外周部へ穀稈を分離する分草ガイド６を挿入し、押え具９を介して各ボルト１０等で装着して設けたことを特徴とするコンバインの穀稈ガイド装置としたものである。
【０００５】
コンバインで穀稈の刈取り作業は、このコンバインの前方部へ設けた刈取機３で穀稈は刈取りされ、この刈取り穀稈は、この刈取機で後方上部へ移送されて脱穀される。
前記刈取機３で穀稈の分離は、この刈取機３の前端部の分草体４の分草板４ａで分離されると共に、この分草体４の分草パイプ４ｂの外周上側で、分草体４の分草板４ａ後側の引起装置５の後側には、ガイド板７ａへ締付用ボス７ｂを固着した固定具７を固着して設けると共に、この固定具７の複数の締付用ボス７ｂの外周部へ穀稈を分離する分草ガイド６を挿入し、この分草ガイド６の上側へ押え具９を載置し、この押え具９を介して締付用の各ボルト１０等を各締付用ボス７ｂへ螺挿入して装着した、分草ガイド６により、更に穀稈は分離された後に刈取りされ、この刈取り穀稈は、後方上部へ移送されて脱穀される。
【０００６】
請求項２に記載の発明においては、前記分草ガイド６の外径（D）より、固定具７のガイド板７ａへ装着した締付用ボス７ｂがガイド板７ａから上方へ突出す突出部（Ｈ）を低くして設けたことを特徴とする請求項１に記載のコンバインの穀稈ガイド装置としたものである。
【０００７】
刈取りする穀稈を分離する前記分草ガイド６の外径（Ｄ）より、固定具７のガイド板７ａへ固着した締付用ボス７ｂがガイド板７ａから上方へ突出する突出部（Ｈ）を低くして設け、押え具９を分草ガイド６の上側へ載置したときには、押え具９と、締付用ボス７ｂの上側面とには、所定の隙間を設けていることにより、押え具９をボルト１０等で締付けすると、所定の隙間により、分草ガイド６は確実に締付けでき、この分草ガイド６で確実に穀稈の分離ができる。
【０００８】
請求項３に記載の発明においては、コ字形状の前記押え具９の側板９ａの後部には、後方上部から前方下部へ傾斜する切欠部９ｂを設けたことを特徴とする請求項１、又は請求項２に記載のコンバインの穀稈ガイド装置としたものである。
【０００９】
穀稈を分離する前記分草ガイド６の上側へ載置して、この分草ガイド６を押え付けて締付けする押え具９の側板９ａの後部を後方上部から前方下部へ傾斜する切欠部９ｂを設けて、コンバインを後進させたときに、押え具９の後端部へ引掛る藁屑を防止させている。
【００１０】
請求項４に記載の発明においては、前記ガイド板７ａの後部の巾を挟巾（Ｌ）に形成し、該挟巾（Ｌ）部へ押え具９を挿入してボルト１０等により、分草ガイド６を締付けて設けたことを特徴とする請求項１、又は請求項２、又は請求項３に記載のコンバインの穀稈ガイド装置としたものである。
【００１１】
前記分草ガイド６を装着する固定具７の複数の締付用ボス７ｂを固着したガイド板７ａの後部の巾を挟巾（Ｌ）に形成して設け、この挟巾（Ｌ）部へ押え具９を挿入してボルト１０等により、分草ガイド６を締付け、この分草ガイド６を確実に固定して穀稈を分離する。
【００１２】
請求項５に記載の発明においては、前記締付用ボス７ｂを装着したガイド板７ａを、分草体４の分草パイプ４ｂの外周上側部へ直接装着して設けたことを特徴とする請求項１、又は請求項２、又は請求項３、又は請求項４に記載のコンバインの穀稈ガイド装置としたものである。
【００１３】
前記締付用ボス７ｂを装着したガイド板７ａを、穀稈を分離する分草体４の分草パイプ４ｂの外周上側部へ直接装着して設け、締付用ボス７ｂの装着位置を下げて、分草ガイド６をこの締付用ボス７ｂの外周部へ挿入して、押え具９を介してボルト１０等で装着して設け、穀稈は分草ガイド６で分離される。
【発明の効果】
【００１４】
請求項１に記載の発明においては、刈取りする穀稈を分離する刈取機３の分草板４ａの後側で、穀稈を引起しする引起装置５の後側で、分草体４の分草パイプ４ｂには、ガイド板７ａへ締付用ボス７ｂを装着した固定具７を装着して設け、この固定具７の締付用ボス７ｂの外周部へ分草ガイド６を挿入し、押え具９を介してボルト１０等を締付用ボスｂへ螺挿入して、装着して設けたことにより、簡単な構成で過負荷が掛ったときであっても、分草ガイド６の外れを防止できる。
【００１５】
狭いスペースでも、この分草ガイド６に十分な傾斜が確保でき、穀稈の引掛かりを防止することができる。
請求項２に記載の発明においては、前記分草ガイド６の外径（Ｄ）より、固定具７のガイド板７ａへ装着した締付用ボス７ｂがガイド板７ａ面から上方へ突出する突出部（Ｈ）を低くして設けたことにより、分草ガイド６を確実に締付けすることができる。又、締付用ボス７ｂの外径部と、分草ガイド６の挿入巾とを略同じにすることができて、この分草ガイド６の加工が容易である。
【００１６】
請求項３に記載の発明においては、前記押え具９の側板９ａの後部を後方上部から前方下部へ傾斜する切欠部９ｂを設けたことにより、前記コンバインを後進走行させて、刈取機３を後進させたときに、押え具９の後側の下部へ穀稈、及び藁等の引掛りを防止することができる。
【００１７】
請求項４に記載の発明においては、前記ガイド板７ａの後部の巾を挟巾（Ｌ）に形成し、この挟巾（Ｌ）部へ押え具９を挿入してボルト１０等により、分草ガイド６を締付けて設けたことにより、この押え具９の廻り止めが確実にできる。又、これにより、分草ガイド６の廻り止めのができる。
【００１８】
請求項５に記載の発明においては、前記締付用ボス７ｂを装着したガイド板７ａを、分草体４の分草パイプ４ｂの外周上側部へ直接装着して設けたことにより、締付用ボス７ｂの上端部が低くなり、これにより、他部品の装着が容易になる。又、分草パイプ４ｂと、ガイド板７ａとの隙間がなくなり、藁屑、及び泥等の溜りを防止することができる。
【発明を実施するための最良の形態】
【００１９】
以下、本発明の一実施例を図面に基づいて説明する。
コンバイン１の走行車台２の前方部には、穀稈を刈取り移送する刈取機３を設け、この刈取機３の前端部には、穀稈を分離する分草体４と、穀稈を引起しする引起装置５と、これら分草体４の分草板４ａ後側の引起装置５の後側には、穀稈を分離する分草ガイド６を装着するガイド板７ａへ複数の締付用ボス７ｂを設けなる固定具７を、前フレーム８の前側へ設けた分草体４の分草パイプ４ｂへ固着して設けた構成である。固定具７の各締付用ボス７ｂの外周部には、分草ガイド６を挿入し、この分草ガイド６の上側には、押え具９を載置し、この押え具９を介して、締付用ボス７ｂの内径の螺旋ネジ７ｃへボルト１０を螺挿入して、分草ガイド６を固定して設けた構成である。これら分草板４ａと、分草パイプ４ｂと、固定具７と、分草ガイド６等よりなる分草体４を主に図示して説明する。
【００２０】
前記コンバイン１の走行車台２の下側には、図１７で示す如く土壌面を走行する左右一対の走行クローラ１１ａを張設した走行装置１１を配設し、走行車台２の上側には、脱穀機１２を載置した構成である。走行車台２の前方部の刈取機３で立毛穀稈を刈取りし、この刈取り穀稈は、この刈取機３で後方上部へ移送され、脱穀機１２のフィードチェン１３ａと、挟持杆１３ｂとで引継ぎされて、挟持移送されながら脱穀される。脱穀済みで選別済み穀粒は、脱穀機１２の右横側に配設した穀粒貯留タンク１４内へ一時貯留される。
【００２１】
前記走行車台２の前方部には、図１７で示す如く前端位置から立毛穀稈を分離するナローガイド１５ａ、及び各分草体４と、立毛穀稈を引起す各引起装置５と、この引起装置５の後側へ穀稈を分離する分草ガイド６と、引起された穀稈を掻込みする穀稈掻込移送装置１６の各掻込装置１６ａと、掻込された穀稈を刈取る刈刃装置１５ｂと、刈取りされた穀稈を挟持移送して、脱穀機１２のフィードチェン１３ａと、挟持杆１３ｂとへ受渡しする穀稈掻込移送装置１６の根元・穂先移送装置１７ａ・１７ｂ等からなる刈取機３を設けている。該刈取機３は、油圧駆動による伸縮シリンダ１８により、土壌面に対して、昇降自在に移動する構成である。
【００２２】
前記刈取機３の前方下部から後方上部へ傾斜する支持杆１９ａの上端部には、左右方向に支持パイプ杆１９ｂを設け、この支持パイプ杆１９ｂを走行車台２の上側面に設けた支持装置１９ｃで回動自在に支持させて、伸縮シリンダ１８の作動により、刈取機３は支持パイプ杆１９ｂを回動中心として、上下に回動する構成である。
【００２３】
前記支持杆１９ａの下端部には、下伝動ケース２０を設け、この下伝動ケース２０の前側には、前フレーム８を設け、この前フレーム８の前端部には、略コ字形状の受板８ａを固着して設けた構成である。この受板８ａと、分草体４の分草パイプ４ｂへ設けた取付板４ｃとは、ボルト、及びナット等により、装着して設けると共に、分草パイプ４ｂの後端部は、前フレーム８へ所定寸法挿入した構成である。詳細は後述するが、この分草パイプ４ｂで分草板４ａの後側には、図１〜図３で示す如く分草ガイド６を装着する固定具７を固着して設けた構成である。この固定具７の構成、及び分草ガイド６の取付は後述する。
【００２４】
前記刈取機３の穀稈掻込移送装置１６によって形成される穀稈移送経路中には、刈取られて移送される穀稈に接触作用することにより、脱穀機１２へ穀稈の供給の有無を検出する穀稈センサ３ａを設けた構成である。
【００２５】
前記分草体４は、図１〜図３で示す如く分草パイプ４ｂの先端部には、分草板４ａを設け、この分草板４ａの後側へ設けて、穀稈を引起しする引起装置５の後側で、分草パイプ４ｂの外周上側面部には、所定巾のガイド板７ａの左右方向の略中央部で、前後方向に所定間隔を設けて、上下に所定寸法を突出させた締付用ボス７ｂ、７ｂを固着を固着してなる固定具７の各締付用ボス７ｂの下側端部を固着して設けた構成であり、この各締付用ボス７ｂの軸心部には、螺旋ネジ７ｃを設けた構成である。
【００２６】
前記ガイド板７ａの上側面より、上方へ突出した各締付用ボス７ｂの外周部には、図３で示す如く穀稈を分離する略菱形状で丸棒材よりなる分草ガイド６の前部挿入し、この分草ガイド６の上側後部には、コ字形状の押え具９を載置して、各ボルト１０を固定具７の各締付用ボス７ｂの螺旋ネジ７ｃ部へ螺挿入し、分草ガイド６を締付けて固定した構成である。前側は直接ボルト１０を螺挿入し、分草ガイド６を締付けて固定した構成である。前側は直接ボルト１０を螺挿入した構成である。
【００２７】
穀稈を分離する分草ガイド６は、分草体４の分草パイプ４ｂへ固着して設けた固定具７の前後に設けた締付用ボス７ｂの外周部でガイド板７ｂへ当接するまで挿入後に、分草ガイド６の上面部の後側へ押え具９を載置し、この押え具９を介してボルト１０を各締付用ボス７ｂへ螺挿入し、又、前側は直接ボルト１０を羅挿入して、分草ガイド６を固定して設けたことにより、簡単な構成で、この分草ガイド６へ過負荷が掛ったときであっても、外れることを防止できる。又、狭いスペースでもガイド板７ａで十分保持できることにより、分草ガイド６は十分な傾斜が確保できることにより、穀稈、及び藁等の引掛りを防止することができる。
【００２８】
穀稈を分離する前記分草ガイド６の丸棒材（ピアノ線材）の外径（Ｄ）より、固定具７のガイド板７ａへ装着した六角形状の締付用ボス７ｂが図４〜図７で示す如くガイド板７ａの上側面から上方へ突出する突出部（Ｈ）を低くして設け、分草ガイド６の押え付ける隙間（Ｓ）を設けた構成である。
【００２９】
前記分草ガイド６の外径（Ｄ）より、固定具７のガイド板７ａへ装着した締付ボス７ｂが、ガイド板７ａの上側面から上方へ突出する突出部（Ｈ）を低くして設けたことにより、締付け効果の拡大を図ることができる。又、丸棒材（ピアノ線材）は、曲げＲを大きくしなければ曲げられないために、通常の取付け部にカラー等を設けて装着していたが、これが不用となり、部品点数の減少でコストダウンになり、更に前側から分草ガイド６が作用することにより、穀稈、及び藁等の引掛りを防止することができる。
【００３０】
穀稈を分離する前記分草ガイド６を、コ字形状の押え具９を上側から押え付けて、各ボルト１０等で装着する押え具９を、図８、及び図９で示す如くコ字形状に形成すると共に、左右両側の側板９ａの後部には、後方上部から前方下部へ傾斜する切欠部９ｂを設けた構成である。
【００３１】
前記分草ガイド６を上側から押え付けて、各ボルト１０等で押え具９を介して装着するこの押え具９の左右両側の側板９ａの後部には、傾斜させた切欠部９ｂを設けたことにより、コンバイン１を刈取作業中に後進走行させたときに、刈取機３も後進するが、このときに、押え具９へ穀稈、及び藁等の引掛りを防止することができる。
【００３２】
前記分草ガイド６を上側から、各ボルト１０等で押え具９を介して、押え付けて装着する構成において、分草体４の分草パイプ４ｂへ装着した固定具７のガイド板７ａの後方部の巾を図１０〜図１３で示す如く挟巾（Ｌ）に形成し、この挟巾（Ｌ）になった部分へコ字形状の押え具９を挿入して、ボルト１０等を固定具７のガイド板７ａへ固着した締付用ボス７ｂへ螺挿入して、分草ガイド６を取付けした構成である。
【００３３】
前記分草ガイド６を取付けする固定具７のガイド板７ａの後部を挟巾（Ｌ）に形成し、この挟巾（Ｌ）部分へコ字形状の押え具９を挿入して、分草ガイド６を取付けしたことにより、押え具９の加工が容易であり、コストダウンが可能であり、又、分草ガイド６の廻り止めが確実にできる。
【００３４】
前記分草ガイド６を上側から、各ボルト１０等で押え具９を介して、押え付けて装着する構成において、分草体４の分草パイプ４ｂには、図１４〜図１６で示す如く固定具７のガイド板７ａを直接固着して設けた構成である。又、このガイド板７ａの前端部には、締付用ボス７ｂを固着して設け、この固着は、この締付用ボス７ｂの外周の前後両側部のみを固着すると共に、後側に設ける締付用ボス７ｂは、外周の前後両側部のみを固着した構成である。
【００３５】
前記分草体４の分草パイプ４ｂには、固定具７のガイド板７ａを直接固着して設けたことにより、このガイド板７ａへ設けた各締付用ボス７ｂの上端部位置が低くなり、このために、前フレーム８の受板８ａへ装着する分草パイプ４ｂの取付板４ｃをボルト締付けする。このボルトの締付け操作が容易である。又、ガイド板７ａと、分草パイプ４ｂとの隙間がなくなり、このために、泥、及び藁屑等の溜りの防止ができる。
【００３６】
前記分草体４の分草板４ａの後側の引起装置５の後側で、分草体４の分草パイプ４ｂの外周部上側部には、各種の取付板２３を、図１８、及び図１９で示す如く装着して設けた構成である。又、引起装置５は引起ケース５ａ内へ引起ラグ５ｃを所定間隔に装着して設けた、引起チェン５ｂを回転自在に内装して設けた構成である。
【００３７】
前記穀稈掻込移送装置１６の掻込装置１６ａは、下部から順次掻込スターホイル１６ｂと、根元移送チェン１７ａと、掻込ケース１６ｃ内には、掻込ラグ１６ｅを所定間隔で装着した掻込ベルト１６ｄを回転自在に内装して設けた構成である。
【００３８】
前記穀稈掻込移送装置１６の掻込装置１６a部の穀稈を分離して、挟持移送を行う分草ガイド２２は、図１９で示す如く従来は一本のみを、掻込ベルト１６dの上側部へ設けた構成であったが、本発明は、図１８、及び図１９で示す如く上・中・下分草ガイド２１ａ、２１ｂ、２１ｃを設けて、各取付板２３へボルト、及びナット等により、装着して設けた構成である。従来の分草ガイド２２に対応する中分草ガイド２１ｂを、根元移送装置１７ａの位置まで、下げることにより、短稈での挟持移送を確実にした構成である。
【００３９】
これにより、前記上・中・下分草ガイド２１ａ、２１ｂ、２１ｃを三段に設け、又、この中分草ガイド２１ｂを根元移送装置１７ａに沿わせて設けたことにより、短稈で挟持移送が確実となり、稈こぼれの防止ができる。
【００４０】
右側の根元移送装置１７ａと、左側の根元移送装置１７ａとの合流部（イ）を形成する。この左側の根元移送装置１７ａ上部の移送終端部に設けたチェン摺し２４は、図１８〜図２０で示す如くこのチェン摺し２４を上下に設ける。取付用の取付孔２４ａ、２４ａは、上下方向に長孔にして設けた構成である。左側の根元移送装置１７ａを、右側の根元移送装置１７ａへ近接させるときは、長孔の各取付孔２４ａ、２４ａを使用して、チェン摺し２４を上方へ摺動移動させて、固定する構成である。又、広くするときは、該各取付孔２４ａ、２４ａを使用して、チェン摺し２４を下方へ摺動移動させて、固定する構成である。
【００４１】
これにより、左右両側の根元移送装置１７ａ、１７ａの合流部（イ）の隙間を、チェン摺し２４の摺動移動調節により、多品種の対応が可能である。又、穀稈の移送量により、調節することにより、穀稈の詰りを防止することができる。
【００４２】
右側の前記根元移送装置１７ａの移送終端部の下側には、穀稈の稈長により、扱ぎ深さを調節する扱深調節移送装置１７ｃを、図２１、及び図２２で示す如く設けた構成である。
【００４３】
左右両側の前記根元移送装置１７ａ、１７ａの根元移送チェン１７ｄ、１７ｄの先端部は、図２２で示す如く所定隙間（Ｓ１）を設けた構成である。又、右側の根元移送装置１７ａの根元移送チェン１７ｄの先端部と、扱深調節移送装置１７ｃの扱深移送チェン１７ｅの先端部とは、平面視略同じ位置へ位置させて設けた構成である。
【００４４】
図２２で示す如く左側の根元移送装置１７ａを上下方向の最上部位置とし、その下側へ右側の根元移送装置１７ａを位置させ、更にその下側へ扱深調節移送装置１７ｃを位置させて設けた構成である。
【００４５】
これらにより、多量の穀稈を移送時であっても、合流部（イ）で穀稈の詰まりを防止することができる。又、右側の根元移送装置１７ａから扱深調節移送装置１７ｃへの穀稈の引継ぎがスムーズである。左右の根元移送装置１７ａ、１７ａを上下に位置させて設けたことにより、合流部（イ）をコンパクトにすることができる。
【００４６】
前記フィードチェン１３ａは、図２３、及び図２４で示す如く脱穀機１２の前側の所定位置から、傾斜を前方下部へ大きな角度で傾斜させて設けた構成である。又、前記フィードチェン１３ａの外側で、このフィードチェン１３ａの移送始端部の回転軸（ロ）には、外引継移送チェン１３ｃの移送終端部を回動中心として、上下に回動自在に設けた構成である。
【００４７】
これにより、短稈に対する適応性の向上を図ることができる。
前記フィードチェン１３ａの移送始端部の前内側には、内引継移送チェン２５ａを設け、この内引継移送チェン２５ａの外側には、移送終端部の回転軸（ハ）を回動中心として、図２５で示す如く前方下部へ回動自在に中引継移送チェン２５ｂを設けた構成である。この中引継移送チェン２５ｂは前方下部の最下端位置で固定可能に設けた構成であり、又、内引継移送チェン２５ａより、中引継移送チェン２５ｂを所定角度（α）下部へ位置させて設けると共に、移送始端部を前方下部へ位置させて設けた構成である。
【００４８】
これにより、短稈に対する適応性の向上を図ることができる。
図２５で示す如く内引継移送チェン２５ａの外側へ中引継移送チェン２５ｂを設けた構成において、この中引継移送チェン２５ｂの外側には、フィードチェン１３ａの移送始端部の回転軸（ニ）を回動中心として、図２５で示す如く外引継移送チェン２５ｃを回動自在に設け、中引継移送チェン２５ｂへ向けて、上方へ回動移動可能に設けた構成である。内引継移送チェン２５ａの上下回動移動に同調して、中引継移送チェン２５ｂが上下回動移動する構成である。又、この中引継移送チェン２５ｂの回転速度は、二段階に切換え可能な構成である。
【００４９】
これにより、穀稈の引継ぎがスムーズである。又、穀稈の停滞を防止することができる。
前記フィードチェン１３ａを支持するチェン摺し１３ｄを、図２６で示す如く移送始端部で二分割し、移送始端部側のフィードチェン１３ａを、チェン摺し１３ｄを前方下部へ回動移動操作して、このチェン摺し１３ｄと同時に、移送始端部側が前方下部へ回動する構成である。
【００５０】
これにより、超長稈の穀稈で、又、湿穀稈のときに、穀稈の引継ぎが良好になる。
前記フィードチェン１３ａの前内側には、内引継移送チェン２５ａを設けると共に、この内引継移送チェン２５ａの外側には、中引継移送チェン２５ｂを設けた構成において、図２７、及び図２８で示す如くこれら内・中引継移送チェン２５ａ、２５ｂには、内挟持ガイド２６ａと、中挟持ガイド２６ｂとを個別に設けた構成である。内挟持ガイド２６ａは回動自在に設けた構成である。
【００５１】
前記内挟持ガイド２６ａを前部へ位置させ、中挟持ガイド２６ｂを内挟持ガイド２６ａの後側下部へ回動自在に設けた構成である。内支持ガイド２６ａへ設けた受板２６ｃには、スプリング２６ｄを設けて、内挟持ガイド２６ａを下方へ向けて引下げした構成である。又、内引継移送チェン２５ａの下側には、板バネ２７を内挟持ガイド２６ａとクロス状態になる位置まで延長して設けた構成である。
【００５２】
これらにより、穀稈を安定した挟持移送ができる。穀稈のこぼれを防止できる。又、スプリング２６ｄを設けたことにより、一定の挟持圧力で移送することができる。
前記フィードチェン１３ａに対して、図２９、及び図３０で示す如く外引継移送チェン１３ｃを所定角度で外側へ傾斜させて設けた構成である。
【００５３】
これにより穀稈が移送中に押し上げが規制されることにより、株ずれが発生することなく、このために、扱残しが防止できる。
前記穀稈掻込移送装置１６の右側の穂先移送装置１７ｂ下側には、図３３、及び図３４で示す如く穂先掻込移送装置２８を設けた構成である。この穂先掻込移送装置２８は、所定間隔に穂先掻込ラグ２８ｂを設けた穂先掻込ラグベルト２８ａを張設した構成である。
【００５４】
右側の前記穂先移送装置１７ｂの下側には、図３１、及び図３２で示す如く供給移送装置２９ａの移送始端部を調節チェン２９ｂの移送始端部の近傍部まで延長して設けた構成である。又、調節チェン２９は深扱ぎと、標準扱ぎと、浅扱ぎにより、調節できる構成である。
【００５５】
これにより、前記穂先掻込移送装置２８を設けると共に、供給移送装置２９ａの移送始端部を下方部へ延長して設けたことにより、供給部の近傍で遅れ穂を確実にキャッチすることができる。
【００５６】
右側の前記穂先移送装置１７ｂと、右側の根元移送装置１７ｂとの上下方向略中間位置には、図３５、及び図３６で示す如く右中穂先移送装置３０を設けた構成である。
前記右中穂先移送装置３０は、スケース３０ａに、移送チェン３０ｂへ所定間隔で、移送ラグ３０ｃを装着した、この移送チェン３０ｂを内装して設けた構成である。この移送チェン３０ｂの伝動は、右側の穂先移送装置１７ｂから入力する構成である。
【００５７】
これにより、短稈に対する適応性が大幅に向上した。
前記刈取機３には、刈高センサ３ｂを設けた構成において、操作装置３１へ設けて、車体１ａを水平にするときに操作する「ＯＮ」−「ＯＦＦ」スイッチ方式の車体水平スイッチ３１ａを「ＯＦＦ」操作して、圃場が湿田でないことが判定されると、このときのみ、車速センサ３２ｂが一定速度以上を検出すると、刈取機３を地面より、下げない（マイナス刈取りしない）ようにする構成である。又、車体水平スイッチ３１ａを「ＯＮ」操作したときには、設定記憶させたマイナス高さ位置までしか、下降制御しない構成である。
【００５８】
これにより、運転作業者の誤操作により、前記刈刃装置１５ｂが地面へ突込む事を防止し、この刈刃装置１５ｂ等の破損を防止する。
走行車台２には、図３７〜図３９で示す如くペタル３３を支持ピン３３ｂで回動自在に支持すると共に、ペタル３３には、回動板３３ａを設けた構成である。
【００５９】
前記走行車台２の下側には、コ字形状のフレーム３５を設け、このフレーム３５には、コ字形状のフレーム補強板３５ａを固着して設けると共に、このフレーム補強板３５ａの後側には、Ｌ字形状の前取付板３５ｂを設け、又、フレーム３５の内側には、Ｌ字形状の後取付板３５ｃを設け、これら前・後取付板３５ｂ、３５ｃ間には、連結板３５ｄを設けて接続した構成である。
【００６０】
ダンパ装置３４は一方側の端部には、支持ボス３４ａを設け、他方側には、支持板３４ｂを設け、このダンパ装置３４の支持ボス３４ａを、ペタル３３へ上取付ピン３４ｃで装着すると共に、又、支持板３４ｂは、前取付板３５ｂに設けた、支持具３５ｅへ下取付ピン３４ｄで装着した構成である。
【００６１】
前記ペタル３３の回動板３３ａと、ミッションケース３２の一側部に設けた、副変速装置（図示せず）とを、ワイヤ３６で接続した構成である。ペタル３３の踏むことにより、副変速装置が標準→中立、又は倒伏→中立にシフトする構成である。はなすと元の変速へ復帰する構成である。又、ダンパ装置３４を設けたことにより、標準→中立にシフトした時に、ペタル３３をはなした勢いで標準を飛び越えて、次の中立まで変速するオーバーシフトを防止した構成である。
【００６２】
前記ダンパ装置３４は、図３９で示す如く伸縮範囲（Ｌ１）の中間部を使用範囲（Ｌ２）として使用する構成である。
前記ダンパ装置３５は、図３７、及び図３８で示す如くフレーム３５へ横方向に設けたフレーム補強板３５ａで支持させた構成である。ダンパ装置３４はワイヤ３６の引き方向と同方向に伸縮する構成である。ダンパ装置３４はペタル３３を踏むと縮み、放すと伸びる構成である。ダンパ装置３４は、ペタル３３をはさんでワイヤ３６の反対側へ設けた構成である。
【００６３】
これらにより、標準→中立へシフト時、ペタル３３をはなした勢いで標準を越えて次の中立まで変速するオーバーシフトを防止できる。中間部を使用することで、安定した動作が可能である。フレーム３５へ横方向に、フレーム補強板３５ａを設けて、ダンパ装置３４を装着したことにより、強度確保が容易である。作動方向が同方向であり、コンパクトに構成できる。それぞれの動きを妨げることはない。
【００６４】
前記脱穀機１２へ穀稈を引継ぎする前部に、供給部である供給移送装置２９ａを設けた構成において、その供給部のホルダ部３７を供給チェン２９ｃの中心位置より、図４０で示す如く上側へ設けた構成である。
【００６５】
前記ホルダ部３７は、支持パイプ３７ａへコ字形状の支持板３７ｂを固着して設けた構成である。挟持装置３８のケース３８ａの上側面には、取付板３８ｂを固着して設け、この取付板３８ｂをボルト等により、支持板３７ｂへ装着した構成である。
【００６６】
前記挟持装置３８の箱形状のケース３８ａには、スプリング３８ｃを内装すると共に、このスプリング３８ｃで押圧されるＬ字形状の挟持杆３８ｄをスプリング３８ｃへ挿入して、弾発する構成とすると共に、ケース３８ａで摺動自在に軸支して設けた構成であり、この挟持杆３８ｄは抜け止めを施した構成である。この挟持杆３８ｄのＬ字部の下端部には、挟持具３８ｅを軸支して設け、抜け止めを施した構成である。
【００６７】
移送される穀稈の株元側を、供給チェン２９ｃと、挟持具３８ｅとにより、挟持移送して、脱穀機１２へ穀稈を供給する構成であるが、挟持装置３８の下部は、大きなクリアランス部（木）を形成した構成である。
【００６８】
これにより、前記フィードチェン１３ａの前部には、大きなクリアランス部（木）が確保でき、又挟持装置３８部が直接支持パイプ３７ａへ装着されることにより、メンテナンスが容易である。
【００６９】
前記穀粒貯留タンク１４側の前部には、図１７で示す如くコンバイン１を始動、停止、及び各部を調節等の操作を行う操作装置３１と、これら操作を行う作業者が搭乗する操縦席３９とは、操作室ケース３１ｂで形成した操作室３１ｃ内へ設け、この操縦席３９の下側で、走行車台２の上側面には、エンジン４０を載置すると共に、後方部には、穀粒貯留タンク１４を配設する。これら走行装置１１と、刈取機３と、脱穀機１２と、エンジン４０等により、コンバイン１の機体１ａを形成した構成である。
【００７０】
前記走行車台２の前端部に装架した走行用のミッションケース３２内の伝動機構３２ａの伝動経路中には、その出力に基づいて、走行車速を検出するポテンションメータ方式の車速センサ３２ｂを設けた構成である。
【００７１】
前記穀粒貯留タンク１４内に貯留した穀粒を機外へ排出するこの穀粒貯留タンク１４の後側には、縦移送螺旋４１ａを内装した排出支持筒４１を略垂直姿勢で旋回自在に装着して設け、この排出支持筒４１の上端部には、その全長がコンバイン１の前後長に亘る機外へ穀粒を排出する排出螺旋４２ａを伸縮自在に内装した排出オーガ４２を伸縮自在、上下回動自在、及び左右旋回自在に前後方向に配設した構成である。
【図面の簡単な説明】
【００７２】
【図１】分草ガイド取付部の拡大側面斜視図
【図２】分草ガイド取付部の拡大側面図
【図３】分草ガイド取付部の拡大平面図
【図４】分草ガイド取付部の拡大側面斜視図
【図５】分草ガイド取付部の拡大側面図
【図６】分草ガイド取付部の拡大正断面図
【図７】分草ガイド取付部の拡大平面図
【図８】分草ガイド取付部の拡大側面斜視図
【図９】押え具の拡大側面斜視図
【図１０】分草ガイド取付部の拡大側面斜視図
【図１１】分草ガイド取付部の拡大側面図
【図１２】分草ガイド取付部の拡大平面図
【図１３】分草ガイド取付部の拡大正断面図
【図１４】分草ガイド取付部の拡大側面斜視図
【図１５】分草ガイド取付部の拡大側面図
【図１６】分草ガイド取付部の拡大平面図
【図１７】コンバインの左全体側面図
【図１８】他の実施例を示す図で、上・中・下分草ガイド部の拡大平面図
【図１９】他の実施例を示す図で、上・中・下分草ガイド部の拡大側面図
【図２０】他の実施例を示す図で、チェン摺しの拡大平面図
【図２１】他の実施例を示す図で、左右両側の根元移送装置と、扱深調節移送装置との拡大平面図
【図２２】他の実施例を示す図で、左右両側の根元移送装置と、扱深調節移送装置との拡大背面図
【図２３】他の実施例を示す図で、フィードチェンと、外引継移送チェンとの拡大側面図
【図２４】他の実施例を示す図で、フィードチェンと、外引継移送チェンとの拡大平面図
【図２５】他の実施例を示す図で、フィードチェンと、内・中引継移送チェンとの拡大側面図
【図２６】他の実施例を示す図で、フィードチェン部の拡大側面図
【図２７】他の実施例を示す図で、内・中挟持ガイドと、板バネとの拡大側面図
【図２８】他の実施例を示す図で、内・外挟持ガイドと、板バネとの拡大正面図
【図２９】他の実施例を示す図で、フィードチェンと、外引継移送チェンとの側面斜視図
【図３０】他の実施例を示す図で、フィードチェンと、外引継移送チェンとの拡大正面図
【図３１】他の実施例を示す図で、供給移送装置と、調節移送装置との拡大平面図
【図３２】他の実施例を示す図で、供給移送装置と、調節移送装置との拡大側面図
【図３３】他の実施例を示す図で、供給移送装置と、調節移送装置と、穂先掻込移送装置との拡大平面図
【図３４】他の実施例を示す図で、供給移送装置と、調節移送装置と、穂先掻込移送装置との拡大側面図
【図３５】他の実施例を示す図で、左右穂先・根元移送装置と、右中穂先移送装置との拡大平面図
【図３６】他の実施例を示す図で、右穂先・根元移送装置と、右中穂先移送装置との拡大側面図
【図３７】他の実施例を示す図で、ブレーキ用のペタル部の拡大側面図
【図３８】他の実施例を示す図で、ブレーキ用のペタル部の拡大平面図
【図３９】他の実施例を示す図で、ブレーキ用のペタル部のダンパ装置の拡大側面図
【図４０】他の実施例を示す図で、供給用のホルダ部の拡大側面図
【符号の説明】
【００７３】
（３）    刈取機
（４）    分草体
（４ａ）  分草板
（４ｂ）  分草パイプ
（５）    引起装置
（６）    分草ガイド
（７）    固定具
（７ａ）  ガイド板
（７ｂ）  締付用ボス
（９）    押え具
（９ａ）  側板
（９ｂ）  切欠部
（１０）  ボルト
（Ｄ）    外径
（Ｈ）    突出部
（Ｌ）    挟巾
【図１】
2006061119.tif 000003
【図２】
2006061119.tif 000004
【図３】
2006061119.tif 000005
【図４】
2006061119.tif 000006
【図５】
2006061119.tif 000007
【図６】
2006061119.tif 000008
【図７】
2006061119.tif 000009
【図８】
2006061119.tif 000010
【図９】
2006061119.tif 000011
【図１０】
2006061119.tif 000012
【図１１】
2006061119.tif 000013
【図１２】
2006061119.tif 000014
【図１３】
2006061119.tif 000015
【図１４】
2006061119.tif 000016
【図１５】
2006061119.tif 000017
【図１６】
2006061119.tif 000018
【図１７】
2006061119.tif 000019
【図１８】
2006061119.tif 000020
【図１９】
2006061119.tif 000021
【図２０】
2006061119.tif 000022
【図２１】
2006061119.tif 000023
【図２２】
2006061119.tif 000024
【図２３】
2006061119.tif 000025
【図２４】
2006061119.tif 000026
【図２５】
2006061119.tif 000027
【図２６】
2006061119.tif 000028
【図２７】
2006061119.tif 000029
【図２８】
2006061119.tif 000030
【図２９】
2006061119.tif 000031
【図３０】
2006061119.tif 000032
【図３１】
2006061119.tif 000033
【図３２】
2006061119.tif 000034
【図３３】
2006061119.tif 000035
【図３４】
2006061119.tif 000036
【図３５】
2006061119.tif 000037
【図３６】
2006061119.tif 000038
【図３７】
2006061119.tif 000039
【図３８】
2006061119.tif 000040
【図３９】
2006061119.tif 000041
【図４０】
2006061119.tif 000042